(57)【要約】 【課題】端子部に手を近付けることなく確実に端子付ケーブル等のケーブルを保持することができ、安全にケーブル端子をビスで固定することができるケーブル保持装置及びそのケーブル保持装置を備えたドライバーを提供する。【解決手段】ドライバー軸１に取付可能で且つ回転自在に形成したアーム取付部材３と、該アーム取付部材３から前記ドライバー軸１の先端部１ａの側方に延設したアーム部材４と、該アーム部材４の先端に設けたケーブル保持機構５とから構成してある。【選択図】図１
2007181900.tif 000002
【特許請求の範囲】
【請求項１】
ドライバー軸に取付可能で且つ回転自在に形成したアーム取付部材と、該アーム取付部材から前記ドライバー軸の先端部側方に延設したアーム部材と、該アーム部材の先端に設けたケーブル保持機構とからなるケーブル保持装置。
【請求項２】
前記アーム部材に沿って前記ケーブル保持機構にテンションを付加するテンション付加機構を備えた請求項１に記載のケーブル保持装置。
【請求項３】
前記アーム取付部材を前記ドライバー軸に沿って移動可能に形成した請求項１又は２に記載のケーブル保持装置。
【請求項４】
前記ドライバー軸に形成した雄螺子と螺合する雌螺子を前記アーム取付部材に形成した請求項３に記載のケーブル保持装置。
【請求項５】
前記雄螺子及び雌螺子が左ねじである請求項４に記載のケーブル保持装置。
【請求項６】
前記ケーブル保持機構又は前記アーム部材の少なくとも一部を絶縁材で形成した請求項１乃至５の何れかに記載のケーブル保持装置。
【請求項７】
請求項１乃至６の何れかに記載のケーブル保持装置を備えたドライバー。
【発明の詳細な説明】
【技術分野】
【０００１】
本発明は、端子付ケーブル等のケーブルを保持してビスの着脱をすることができるケーブル保持装置及びそのケーブル保持装置を備えたドライバーに関する。
【背景技術】
【０００２】
従来、ドライバーによるビスの取付作業では、一般に、磁化したドライバー軸の先端部にビスを吸着させて行っている。このドライバー軸の磁石作用によるビスの吸着が不完全の場合には、一方の手でビスを支えながら他方の手でドライバーを回すために、狭い場所に手を挿入して傷つけたり、端子部に接触して感電したりする恐れがあった。これに対して、ドライバー軸の先端近傍にビスの頭部を捕獲する複数の挟持爪を備え、この挟持爪でビスの頭部を捕獲して片手でビスの取付作業を行うことができるドライバーは知られている（例えば、特許文献１，２参照）。
【０００３】
【特許文献１】特開２００１−１３８２５８号公報
【特許文献２】特開２００３−３１１６４０号公報
【発明の開示】
【発明が解決しようとする課題】
【０００４】
しかし、特許文献１，２に記載のドライバーは、ケーブル端子をビスで固定する場合に挟持爪でビスの頭部を捕獲しても、ビスの取付中にビスがケーブルに引っ張られて不安定になる。このため、一方の手でケーブルを保持しながら、他方の手でドライバーを回す必要がある。このように、従来のドライバーは、ビスの取付時に手を端子部に近付ける必要があることから、端子部との接触による感電災害や、ケーブル端子が不安定なために回路短絡の恐れがあるという課題があった。
【０００５】
そこで、本発明は、端子部に手を近付けることなく確実に端子付ケーブル等のケーブルを保持することができ、安全にケーブル端子をビスで固定することができるケーブル保持装置及びそのケーブル保持装置を備えたドライバーを提供するものである。
【課題を解決するための手段】
【０００６】
本発明は、上記課題を解決するために、ドライバー軸に取付可能で且つ回転自在に形成したアーム取付部材と、該アーム取付部材から前記ドライバー軸の先端部側方に延設したアーム部材と、該アーム部材の先端に設けたケーブル保持機構とからなるケーブル保持装置を提供するものである。
【０００７】
また、本発明は、前記アーム部材に沿って前記ケーブル保持機構にテンションを付加するテンション付加機構を備えた請求項１に記載のケーブル保持装置を提供するものである。
【０００８】
また、本発明は、前記アーム取付部材を前記ドライバー軸に沿って移動可能に形成した請求項１又は２に記載のケーブル保持装置を提供するものである。
【０００９】
また、本発明は、前記ドライバー軸に形成した雄螺子と螺合する雌螺子を前記アーム取付部材に形成した請求項３に記載のケーブル保持装置を提供するものである。
【００１０】
また、本発明は、前記雄螺子及び雌螺子が左ねじである請求項４に記載のケーブル保持装置を提供するものである。
【００１１】
また、本発明は、前記ケーブル保持機構又は前記アーム部材の少なくとも一部を絶縁材で形成した請求項１乃至５の何れかに記載のケーブル保持装置を提供するものである。
【００１２】
また、本発明は、請求項１乃至６の何れかに記載のケーブル保持装置を備えたドライバーを提供するものである。
【発明の効果】
【００１３】
本発明に係るケーブル保持装置によれば、ドライバー軸に取付可能で且つ回転自在に形成したアーム取付部材と、該アーム取付部材から前記ドライバー軸の先端部側方に延設したアーム部材と、該アーム部材の先端に設けたケーブル保持機構とからなる構成を有することにより、ケーブル保持機構で端子付ケーブル等のケーブルを保持し、ケーブル端子と共にビスを保持して安全且つ確実にビスを取り付けることができ、端子部に手を近付けることを回避できるから、端子部との接触による感電災害や回路短絡などの事故を防止することができる。また、一方の手でアーム部材を把持することによりドライバー軸を回転自在に保持することができ、安定した姿勢でビスを取り付けることができる。更に、ビスの取り外し時には、ビスを取り外した後もケーブル保持機構がケーブルを保持しているから、ケーブル端子が他の端子と接触して回路短絡することを防止することができる効果がある。
【００１４】
また、本発明は、前記アーム部材に沿って前記ケーブル保持機構にテンションを付加するテンション付加機構を備えた請求項１に記載の構成を有することにより、ケーブル保持機構が保持したケーブルの端子を介してビスをドライバー軸の先端部に引き寄せることができ、ビスの頭部とドライバー軸の先端部の係合を維持した状態でビスを取り付けたり取り外したりすることができる効果がある。
【００１５】
また、本発明は、前記アーム取付部材を前記ドライバー軸に沿って移動可能に形成した請求項１又は２に記載の構成を有することにより、ドライバー軸の先端部に対してケーブル保持機構の位置を調節することができる効果がある。
【００１６】
また、本発明は、前記ドライバー軸に形成した雄螺子と螺合する雌螺子を前記アーム取付部材に形成した請求項３に記載の構成を有することにより、簡単な構造によってアーム取付部材をドライバー軸に沿って移動可能で且つ回転自在に設けることができる効果がある。
【００１７】
また、本発明は、前記雄螺子及び雌螺子が左ねじである請求項４に記載の構成を有することにより、一般によく使われている右ねじのビスを弛める方向にドライバー軸を回転させたときにアーム取付部材がドライバー軸に対して後退するから、ケーブル保持機構もドライバー軸の先端部に対して後退し、ビスを弛める過程でケーブル保持機構が保持したケーブルの端子を介してビスをドライバー軸の先端部に自動的に引き寄せることができ、ビスの頭部とドライバー軸の先端部の係合を維持した状態でビスを取り外すことができる効果がある。
【００１８】
また、本発明は、前記ケーブル保持機構又は前記アーム部材の少なくとも一部を絶縁材で形成した請求項１乃至５の何れかに記載の構成を有することにより、不用意にケーブル保持機構を端子部等に接触させても感電災害を防止することができる効果がある。
【００１９】
また、本発明に係るドライバーは、請求項１乃至６の何れかに記載のケーブル保持装置を備えた構成により、ケーブル保持機構で端子付ケーブル等のケーブルを保持し、ケーブル端子と共にビスを保持して安全且つ確実にビスを取り付けたり取り外したりすることができ、端子部に手を近付けることを回避できるから、端子部との接触による感電災害や回路短絡などの事故を防止することができる効果がある。
【発明を実施するための最良の形態】
【００２０】
本発明の実施の形態を図示する実施例に基づいて説明する。
本発明に係るケーブル保持装置は、ドライバー軸１に取付可能で且つ回転自在に形成したアーム取付部材３と、該アーム取付部材３から前記ドライバー軸１の先端部１ａの側方に延設したアーム部材４と、該アーム部材４の先端に設けたケーブル保持機構５とから構成してある。
【実施例１】
【００２１】
図１において、１０はドライバーであり、ドライバー軸１とグリップ部２とからなる。ドライバー軸１の先端部１ａの形状は、プラスやマイナス形状に限らず、ビス２０の頭部と係合することが可能な様々な形状に形成することができる。また、ドライバー軸１は、図示の実施例のようにグリップ部２に固着したものに限らず、グリップ部や自動回転装置に着脱自在に設けることも可能である。
【００２２】
図２に示すように、ドライバー軸１の中間部は、先端部１ａよりも大径に形成して雄螺子１ｂを設けてある。また、アーム取付部材３には、ドライバー軸１に形成した雄螺子１ｂと螺合する雌螺子３ｂを形成してある。アーム取付部材３は、ドライバー軸１に螺合させて回転自在に設けてあると共に、ドライバー軸１に沿って移動可能に構成してある。
【００２３】
図１乃至図５に示す実施例において、雄螺子１ｂ及び雌螺子３ｂは左ねじに形成してある。この構成により、アーム取付部材３を保持して、右ねじのビス２０を弛める方向にドライバー軸１を回転させたときに、アーム取付部材３がドライバー軸１に対して後退し、ケーブル保持機構５が保持したケーブル２２をドライバー１０側に引き寄せることができる。
【００２４】
図１及び図２に示すように、アーム部材４は、アーム取付部材３の側面にドライバー軸１の先端部１ａの側方に向かって延設してある。また、アーム部材４の先端には、テンション付加機構６を介してケーブル保持機構５を設けてある。ケーブル保持機構５は、バネクリップ等からなり、ケーブル２２を挟持することができるようにしてある。
図示の実施例において、アーム部材４を把持したときの感電を防止することができるように、ケーブル保持機構５又はアーム部材４の少なくとも一部を絶縁材で形成してあることが好ましい。
【００２５】
図２に示すように、テンション付加機構６は、ケーブル保持機構５を支持する支持軸１２と、支持軸１２の後端に設けたフランジ１３にバネ圧を付加するバネ１４と、支持軸１２及びバネ１４を収容する円筒容器１１とから構成してある。テンション付加機構６は、アーム取付部材３をドライバー軸１に対して後退させることによりアーム部材４及び円筒容器１１が後退し、バネ１４が圧縮されてフランジ１３にバネ圧が掛かり、アーム部材４に沿ってケーブル保持機構５にテンションを付加することができる。
なお、アーム部材４を弾性部材で形成することにより、テンション付加機構を設けない構成にすることも可能である。
【００２６】
次に、本発明に係るケーブル保持装置を使用して、ケーブル端子２３を端子部２４に固定したビス２０を取り外すときの手順を説明する。
図３に示すように、アーム取付部材３を回転させてケーブル保持機構５をドライバー軸１の先端部１ａに合わせる。ケーブル保持機構５でケーブル２２を挟持し、一方の手でアーム部材４を把持しながら、他方の手でドライバー１０を回してビス２０を弛める。
右ねじのビス２０を弛める方向にドライバー軸１を回転させると、図４に示すように、アーム取付部材３がドライバー軸１に対して自動的に後退し、テンション付加機構６によりケーブル保持機構５にテンションを付加してケーブル２２をドライバー１０側に引き寄せることができる。
【００２７】
図５に示すように、更にビス２０を弛めて端子部２４から取り外すときに、ビス２０は、テンションを付加されてドライバー１０側に引き寄せられたケーブル２２により、ケーブル端子２３を介してドライバー１０側に引き寄せられ、ビス２０の頭部２１とドライバー軸１の先端部１ａの係合を維持することができる。ドライバー１０を端子部２４から遠ざけて、ケーブル保持機構５をケーブル２２から外してビス２０を回収することにより、ビス２０の落下を防止することができるのみならず、ケーブル端子２３が他の端子に接触して回路短絡することを防止することができる。
【００２８】
また、ビス２０でケーブル端子２３を端子部２４に固定するときは、アーム取付部材３を回転させてケーブル保持機構５がドライバー軸１の先端部１ａの後方に位置するように調整する。ケーブル保持機構５を引き出してケーブル２２を挟持し、ケーブル２２にテンションを付加した状態でケーブル端子２３にビス２０を通してドライバー１０でビスを端子部２４に取り付ける。このとき、ケーブル保持機構５はドライバー軸１に対して前進し、ケーブル２２に付加されたテンションを自動的に開放することができる。
【実施例２】
【００２９】
図６に示す実施例において、アーム取付部材３は、ドライバー軸１に摺動自在に装着可能な装着部材７と、該装着部材７に回動自在に設けた回転環８と、装着部材７をドライバー軸１に固定するストッパーネジ９とから構成してある。また、アーム部材４は、アーム取付部材３の回転環８の側面にドライバー軸１の先端部１ａの側方に向かって延設してある。ケーブル保持機構５及びテンション付加機構６の構成は、図１に示す実施例と同様である。また、１５は支持部材であり、一端を支持軸１２に摺動自在に設け、他端をドライバー軸１に装着可能に構成してある。
【図面の簡単な説明】
【００３０】
【図１】本発明に係るケーブル保持装置の一実施例を示す斜視図。
【図２】その一実施例の要部を示す断面図。
【図３】その一実施例の使用状態を示す斜視図。
【図４】その一実施例の使用状態を示す斜視図。
【図５】その一実施例の使用状態を示す斜視図。
【図６】他の実施例の要部を示す断面図。
【符号の説明】
【００３１】
１  ドライバー軸
１ａ  先端部
１ｂ  雄螺子
２  グリップ部
３  アーム取付部材
３ｂ  雌螺子
４  アーム部材
５  ケーブル保持機構
６  テンション付加機構
７  装着部材
８  回転環
９  ストッパーネジ
１０  ドライバー
１１  円筒容器
１２  支持軸
１３  フランジ
１４  バネ
１５  支持部材
２０  ビス
２１  頭部
２２  ケーブル
２３  ケーブル端子
２４  端子部
【図１】
2007181900.tif 000003
【図２】
2007181900.tif 000004
【図３】
2007181900.tif 000005
【図４】
2007181900.tif 000006
【図５】
2007181900.tif 000007
【図６】
2007181900.tif 000008